(57)【要約】      （修正有）【課題】デッキプレートに容易かつ強固に取り付けることができ、吊りボルトを鉛直下向きに設置でき、所望の吊り下げ強度が得られるデッキプレート用ハンガー金具を提供する。【解決手段】正面形状ハの字状をなし、両端がデッキプレートの凹部に係止される横架部材１と、横架部材１に取り付けられる棒状当接部材２と、横架部材１にねじ込まれるねじ嵌合部材３とからなり、横架部材１は、中央部に棒状当接部材２の挿通孔４が形成され、中央部下面にねじ嵌合部材３がねじ込まれる雌ねじ部５が形成され、棒状当接部材２は、上部にデッキプレートのフランジの下面に当接される弾性体６が取り付けられ、下部に挿通孔４内に挿通された棒状当接部材２を横架部材１に係止させる留め具７を有し、ねじ嵌合部材３に、天井等の設備を吊り下げる吊りボルト２０の上端がねじ込まれる雌ねじ部１０が形成されている。【選択図】図１
2015183387.tif 000002
【特許請求の範囲】
【請求項１】
デッキプレート上にコンクリートを打設することによって構築された合成スラブの下方部の空間に、天井、設備用配管、ダクト等の各種設備を設置する際に、これらの設備をデッキプレートの下部から吊り下げるために使用されるデッキプレート用ハンガー金具において、
正面形状ハの字状をなし、両端が前記デッキプレートの凹部に係止される横架部材と、前記横架部材に取り付けられる棒状当接部材と、前記横架部材にねじ込まれるねじ嵌合部材とからなり、前記横架部材は、中央部に前記棒状当接部材の挿通孔が形成され、中央部下面に前記ねじ嵌合部材がねじ込まれる雌ねじ部が形成され、前記棒状当接部材の下部に前記挿通孔内に挿通された前記棒状当接部材を前記横架部材に係止させる留め具を有し、前記ねじ嵌合部材に、前記設備を吊り下げる吊りボルトの上端が取り付け手段を介して取り付けられることを特徴とするデッキプレート用ハンガー金具。
【請求項２】
前記ねじ嵌合部材の雌ねじ部に自在係合具が取り付けられていることを特徴とする、請求項１に記載のデッキプレート用ハンガー金具。
【請求項３】
前記棒状当接部材の上部に前記デッキプレートのフランジの下面に当接される弾性体が取り付けられていることを特徴とする、請求項１または２に記載のデッキプレート用ハンガー金具。
【請求項４】
前記横架部材の端部は、前記凹部の形状と合致するように湾曲していることを特徴とする、請求項１から３の何れか１つに記載のデッキプレート用ハンガー金具。
【請求項５】
前記横架部材の端部の前記凹部との接触面は、ブラスト処理がなされていることを特徴とする、請求項１から４の何れか１つに記載のデッキプレート用ハンガー金具。
【請求項６】
前記留め具は、前記棒状当接部材にばねを介して取り付けられ、前記棒状当接部材を前記横架部材の下方から前記挿通孔に通す際は、前記ばねの弾性力に抗して前記棒状当接部材内に引っ込み、前記挿通孔を抜け出た後は、前記ばねの弾性力により前記棒状当接部材外に突出して前記横架部材の上面に係止することを特徴とする、請求項１から３の何れか１つに記載のデッキプレート用ハンガー金具。
【請求項７】
前記取り付け手段は、前記ねじ嵌合部材に形成された、前記吊りボルトの上端がねじこまれる雌ねじ部からなっていることを特徴とする、請求項１から６の何れか１つに記載のデッキプレート用ハンガー金具。
【請求項８】
前記吊りボルトの上端は、前記デッキプレートの勾配に応じて、くの字に折れ曲がっていることを特徴とする、請求項７に記載のデッキプレート用ハンガー金具。
【請求項９】
前記横架部材は、板ばねにより形成されていることを特徴とする、請求項１から８の何れか１つに記載のデッキプレート用ハンガー金具。
【請求項１０】
前記弾性体は、ゴム材からなっていることを特徴とする、請求項１から９の何れか１つに記載のデッキプレート用ハンガー金具。
【請求項１１】
前記横架部材は、前記デッキプレートの下部凹部に係止することを特徴とする、請求項１から１０の何れか１つに記載のデッキプレート用ハンガー金具。
【請求項１２】
デッキプレート上にコンクリートを打設することによって構築された合成スラブの下方部の空間に、天井、設備用配管、ダクト等の各種設備を設置する際に、これらの設備をデッキプレートの下部から吊り下げるために使用されるデッキプレート用ハンガー金具の前記デッキプレートへの取り付け方法において、正面形状ハの字状をなし、中央部に挿通孔が形成され、中央部下面に雌ねじ部と凹陥部とが形成された横架部材を前記デッキプレートの下部凹部に係止し、次いで、前記横架部材を保持しながら、ばねの弾性力により出入り可能な留め具を有し、下端にストッパーが形成された棒状当接部材を前記横架部材の下方から前記挿通孔に通して押し上げ、かくして、前記留め具を前記ばねの弾性力により前記棒状当接部材から突出させるとともに、前記ストッパーを前記凹陥部内に入り込ませて、前記棒状当接部材を前記横架部材に取り付け、そして、前記設備が吊り下げられる吊りボルトが取り付けられるねじ嵌合部材を前記雌ねじ部にねじ込むことを特徴とする、デッキプレート用ハンガー金具のデッキプレートへの取り付け方法。
【発明の詳細な説明】
【技術分野】
【０００１】
この発明は、デッキプレート用ハンガー金具およびデッキプレートへの取り付け方法、特に、デッキプレート上にコンクリートを打設することによって構築された合成スラブの下方部の空間に、天井、設備用配管、ダクト等の各種設備を設置する際に、これらの設備をデッキプレートの下部から吊り下げるために使用されるデッキプレート用ハンガー金具およびこのハンガー金具のデッキプレートへの取り付け方法に関するものである。
【背景技術】
【０００２】
従来、デッキプレート上にコンクリートを打設することによって構築された合成スラブの下方部の空間に、天井、設備用配管、ダクト等の各種設備を設置する手段として、以下のものがあった。
【０００３】
（１）コンクリートを打設する前にデッキプレートの所定位置にドリルで孔をあけ、この孔にインサートを取り付け、コンクリートが硬化後、インサートに吊りボルトをねじ込み、吊りボルトに天井等の設備を取り付ける（特許文献１参照）。以下、この手段を従来技術１という。
【０００４】
（２）デッキプレート自体の形状を利用して、正面形状がハの字状をなす横架部材の端部をデッキプレートの傾斜したウェブの下部に形成された長手方向へ延びるように設けたリブの凹部にハンマー等の工具を使用して回転係止させ、横架部材に吊りボルトをねじ込み、吊りボルトに天井等の設備を取り付ける（特許文献２参照）。以下、この手段を従来技術２という。
【先行技術文献】
【特許文献】
【０００５】
【特許文献１】特許第４２１５１６５号公報
【特許文献２】実公平５−４２１６６号公報
【特許文献３】意匠登録第１２９２４９９号公報
【発明の概要】
【発明が解決しようとする課題】
【０００６】
上述した従来技術１によれば、予めインサートの取り付け位置を定め、コンクリート打設前にデッキプレートにインサートを取り付けておく必要があるので、コンクリート硬化後に設備の吊り位置の変更が生じた場合には、吊り位置を新たに設けることができないといった問題があった。
【０００７】
また、上述した従来技術２によれば、デッキプレートの傾斜したウェブの下部に形成された凹部を利用しているので、デッキプレートの形状に大きく影響され、デッキプレートの形状が従来のデッキプレートと異なると、この技術を利用することができないといった問題があった。
【０００８】
この発明において使用を想定しているデッキプレート（特許文献３参照）を図１１に示すが、このデッキプレート１１は、一般的に従来技術２が採用されているデッキプレート（特許文献２参照）と異なり、デッキプレート１１の傾斜したウェブ１２の上下部の長手方向に延びるように設けたリブに２本の凹部１３、１４が形成されている。
【０００９】
例えば、図１２に示すように、上部凹部１３を利用してハンガー金具１５を取り付けると、横架部材１６が正面形状ハの字状をなす場合、デッキプレート１１のフランジ１７までの距離が短いので、横架部材１６の取り付けが困難である。また、横架部材１６の形状も水平に近いものとせざるを得ないので、高い吊り下げ強度は、期待できない。
【００１０】
図１３に示すように、横架部材１８が正面形状逆ハの字状のハンガー金具１９を使用した場合、ハンガー金具１９単独ではデッキプレート１１の上部凹部１３に係止させることができない。また、吊りボルト２０をハンガー金具１９にねじ込んで、吊りボルト２０をデッキプレート１１のフランジ１７に当接させて３点支持とした場合も、鉛直下向きの荷重に対してハンガー金具１９が変形しやすく、外れる恐れがあり、高い吊り下げ強度は、期待できない。
【００１１】
一方、下部凹部１４は、従来技術２が採用しているデッキプレートやこの発明において使用を想定しているデッキプレート１１の上部凹部１３に比べて、折り曲げ角度が大きく形成されているので、従来技術２を採用した場合、高い吊り下げ強度は、期待できない。
【００１２】
また、図１４に示すように、デッキプレート１１が勾配をもって敷き込まれて合成スラブが構築されている場合、吊りボルト２０は、デッキプレート１１の勾配に応じた角度で傾斜することになる。このために、吊りボルト２０は、これに引っ張り力だけでなく曲げ力も作用した状態で天井２１等の設備を吊り下げることになるので、所望の吊り下げ強度は、期待できない。
【００１３】
従って、この発明の目的は、デッキプレートに容易かつ強固に取り付けることができ、改修等で吊り位置が不必要となった場合でも、ハンガー金具単独で現状位置に残すことができるので、ハンガー金具を撤去する必要がなく、デッキプレートが勾配をもって敷き込まれている場合であっても、吊りボルトを鉛直下向きに設置することができるので、所望の吊り下げ強度が得られ、さらに、ねじ嵌合部材を交換することによって、許容吊り下げ荷重の増加やデッキプレートの勾配に容易に対応することが可能なデッキプレート用ハンガー金具を提供することにある。
【課題を解決するための手段】
【００１４】
この発明は、上記目的を達成するためになされたものであって、下記を特徴とする。
【００１５】
請求項１に記載の発明は、デッキプレート上にコンクリートを打設することによって構築された合成スラブの下方部の空間に、天井、設備用配管、ダクト等の各種設備を設置する際に、これらの設備をデッキプレートの下部から吊り下げるために使用されるデッキプレート用ハンガー金具において、正面形状ハの字状をなし、両端が前記デッキプレートの凹部に係止される横架部材と、前記横架部材に取り付けられる棒状当接部材と、前記横架部材にねじ込まれるねじ嵌合部材とからなり、前記横架部材は、中央部に前記棒状当接部材の挿通孔が形成され、中央部下面に前記ねじ嵌合部材がねじ込まれる雌ねじ部が形成され、前記棒状当接部材の下部に前記挿通孔内に挿通された前記棒状当接部材を前記横架部材に係止させる留め具を有し、前記ねじ嵌合部材に、前記設備を吊り下げる吊りボルトの上端が取り付け手段を介して取り付けられることに特徴を有するものである。
【００１６】
請求項２に記載の発明は、請求項１に記載の発明において、前記ねじ嵌合部材の雌ねじ部に自在係合具が取り付けられていることに特徴を有するものである。
【００１７】
請求項３に記載の発明は、請求項１または２に記載の発明において、前記棒状当接部材の上部に前記デッキプレートのフランジの下面に当接される弾性体が取り付けられていることに特徴を有するものである。
【００１８】
請求項４に記載の発明は、請求項１から３に記載の発明において、前記横架部材の端部は、前記凹部の形状と合致するように湾曲していることに特徴を有するものである。
【００１９】
請求項５に記載の発明は、請求項１から４に記載の発明において、前記横架部材の端部の前記凹部との接触面は、ブラスト処理がなされていることに特徴を有するものである。
【００２０】
請求項６に記載の発明は、請求項１から５の何れか１つに記載の発明において、前記留め具は、前記棒状当接部材にばねを介して取り付けられ、前記棒状当接部材を前記横架部材の下方から前記挿通孔に通す際は、前記ばねの弾性力に抗して前記棒状当接部材内に引っ込み、前記挿通孔を抜け出た後は、前記ばねの弾性力により前記棒状当接部材外に突出して前記横架部材の上面に係止することに特徴を有するものである。
【００２１】
請求項７に記載の発明は、請求項１から６の何れか１つに記載の発明において、前記取り付け手段は、前記ねじ嵌合部材に形成された、前記吊りボルトの上端がねじこまれる雌ねじ部からなっていることに特徴を有するものである。
【００２２】
請求項８に記載の発明は、請求項７に記載の発明において、前記吊りボルトの上端は、前記デッキプレートの勾配に応じて、くの字に折れ曲がっていることに特徴を有するものである。
【００２３】
請求項９に記載の発明は、請求項１から８の何れか１つに記載の発明において、前記横架部材は、板ばねにより形成されていることに特徴を有するものである。
【００２４】
請求項１０に記載の発明は、請求項１から９の何れか１つに記載の発明において、前記弾性体は、ゴム材からなっていることに特徴を有するものである。
【００２５】
請求項１１に記載の発明は、請求項１から１０の何れか１つに記載の発明において、前記横架部材は、前記デッキプレートの下部凹部に係止することに特徴を有するものである。
【００２６】
請求項１２に記載の発明は、デッキプレート上にコンクリートを打設することによって構築された合成スラブの下方部の空間に、天井、設備用配管、ダクト等の各種設備を設置する際に、これらの設備をデッキプレートの下部から吊り下げるために使用されるデッキプレート用ハンガー金具の前記デッキプレートへの取り付け方法において、正面形状ハの字状をなし、中央部に挿通孔が形成され、中央部下面に雌ねじ部と凹陥部とが形成された横架部材を前記デッキプレートの下部凹部に係止し、次いで、前記横架部材を保持しながら、ばねの弾性力により出入り可能な留め具を有し、下端にストッパーが形成された棒状当接部材を前記横架部材の下方から前記挿通孔に通して押し上げ、かくして、前記留め具を前記ばねの弾性力により前記棒状当接部材から突出させるとともに、前記ストッパーを前記凹陥部内に入り込ませて、前記棒状当接部材を前記横架部材に抜け出し不可に取り付け、そして、前記設備が吊り下げられる吊りボルトが取り付けられるねじ嵌合部材を前記雌ねじ部にねじ込むことに特徴を有するものである。
【発明の効果】
【００２７】
この発明によれば、従来技術２のように、ハンマー等の工具も使用することなく、単に棒状当接部材を横架部材の挿通孔に通して押し上げるのみで、横架部材をデッキプレートの凹部に係止することができるので、ハンガー金具の施工手間が軽減される。
【００２８】
また、この発明によれば、棒状当接部材の上端は、弾性体を介してデッキプレートのフランジの下面に当接するので、地震時等によりデッキプレートが揺れてもハンガー金具がデッキプレートに対して移動するおそれを抑制することができる。
【００２９】
また、この発明によれば、横架部材の端部にブラスト処理を施すことによって、デッキプレートと横架部材との摩擦抵抗が増大するので、ハンガー金具の耐震性が向上する。
【００３０】
また、この発明によれば、吊りボルトがねじ嵌合部材に取り付けられていない状態でもハンガー金具は、３点支持により安定してデッキプレートに支持されるので、改修等で吊り位置が不必要となった場合でも、ハンガー金具単独で現状位置に残すことができ、この結果、ハンガー金具を撤去する必要がない。
【００３１】
また、この発明によれば、吊りボルトの上端をデッキプレートの勾配に応じて、くの字に折り曲げることによって、デッキプレートが勾配をもって敷き込まれている場合であっても、吊りボルトを鉛直下向きに設置することができるので、所望の吊り下げ強度が得られる。
【００３２】
また、この発明によれば、ねじ嵌合部材に形成される雌ねじ径を大きくすることによって、吊りボルト径を大きくすることができるので、許容吊り下げ荷重の増加やデッキプレートの勾配に容易に対応することが可能となる。この結果、内装改修時の自由度が広がる。
【図面の簡単な説明】
【００３３】
【図１】この発明のデッキプレート用ハンガー金具を示す正面図である。
【図２】この発明のデッキプレート用ハンガー金具の横架部材を示す正面図である。
【図３】この発明のデッキプレート用ハンガー金具の横架部材を示す底面図である。
【図４】この発明のデッキプレート用ハンガー金具の棒状当接部材を示す正面図である。
【図５】この発明のデッキプレート用ハンガー金具のねじ嵌合部材を示す正面図である。
【図６】図５のＡ−Ａ線断面図である。
【図７】デッキプレートに取り付けられた、この発明のデッキプレート用ハンガー金具を示す正面図である。
【図８】ねじ嵌合部材にねじ込まれた吊りボルトを示す部分正面図であり、（Ａ）は、デッキプレートの勾配角度が５°の場合、（Ｂ）は、デッキプレートの勾配角度が１０°の場合、（Ｃ）は、デッキプレートの勾配角度が１５°の場合、（Ｄ）は、デッキプレートの勾配角度が２０°の場合を示す図である。
【図９】ねじ嵌合部材に螺合する自在係合具を示す図であり、（Ａ）は、正面図、（Ｂ）は、底面図である。
【図１０】勾配をもって敷き込まれたデッキプレートにこの発明のデッキプレート用ハンガー金具により、吊りボルトを介して吊り下げられた天井を示す概略部分正面図である。
【図１１】特許文献２に開示されたデッキプレートを示す部分正面図である。
【図１２】デッキプレートの上部凹部に取り付けられたハンガー金具を示す正面図である。
【図１３】デッキプレートの上部凹部に取り付けられた、正面形状逆ハの字状のハンガー金具を示す正面図である。
【図１４】勾配をもって敷き込まれたデッキプレートに吊りボルトを介して吊り下げられた天井を示す概略部分正面図である。
【発明を実施するための形態】
【００３４】
この発明のデッキプレート用ハンガー金具の一実施態様を、図面を参照しながら説明する。
【００３５】
図１は、この発明のデッキプレート用ハンガー金具を示す正面図、図２は、この発明のデッキプレート用ハンガー金具の横架部材を示す正面図、図３は、この発明のデッキプレート用ハンガー金具の横架部材を示す底面図、図４は、この発明のデッキプレート用ハンガー金具の棒状当接部材を示す正面図、図５は、この発明のデッキプレート用ハンガー金具のねじ嵌合部材を示す正面図、図６は、図５のＡ−Ａ線断面図である。
【００３６】
図１から図６において、１は、横架部材、２は、棒状当接部材、３は、ねじ嵌合部材である。
【００３７】
図２および図３に示すように、横架部材１は、正面形状ハの字状をなし、両端がデッキプレート１１の傾斜したウェブ１２の下部凹部１４（図７参照）に係止される。横架部材１は、板ばねにより形成され、中央部には、棒状当接部材２の挿通孔４が形成され、中央部下面には、ねじ嵌合部材３がねじ込まれる雌ねじ部５が形成されている。横架部材１の端部は、デッキプレート１１の下部凹部１４の形状と合致するようにくの字状に湾曲している。これによって、横架部材１を確実にデッキプレート１１の下部凹部１４に係止させることができる。さらに、横架部材１の端部の下部凹部１４との接触面は、ブラスト処理がなされている。これによって、デッキプレート１１と横架部材１との摩擦抵抗が増大するので、ハンガー金具の耐震性が向上する。
【００３８】
図４に示すように、棒状当接部材２は、上部にデッキプレート１１のフランジ１７の下面に当接される、例えば、ゴム材からなる弾性体６が取り付けられ、下部に横架部材１の挿通孔４内に挿通された棒状当接部材２を横架部材１に係止させる留め具７を有し、下端にストッパー８が形成されている。弾性体６は、これが変形した状態でデッキプレート１１のフランジ１７の下面に当接される。なお、弾性体６は、必ずしも設ける必要性はなく、横架部材１のハの字状片により、その弾性反発力でデッキプレート１１にハンガー金具を固定できる。
【００３９】
留め具７は、例えば、洋傘のシャフトに取り付けられた傘を開いた状態に維持するストッパーの構造に類似している。すなわち、留め具７は、棒状当接部材２にばね（図示せず）を介して取り付けられ、棒状当接部材２を横架部材１の下方から挿通孔４に通す際は、前記ばねの弾性力に抗して棒状当接部材２内に引っ込み、挿通孔４を抜け出た後は、前記ばねの弾性力により棒状当接部材２外に突出し、かくして、棒状当接部材２を横架部材１の上面に係止させる機能を有している。
【００４０】
ストッパー８は、棒状当接部材２の径を横架部材１の挿通孔４の径より太く形成したものからなり、ストッパー８が横架部材１の中央部下面に形成した凹陥部９内に入り込むことによって、棒状当接部材２が横架部材１の挿通孔４から抜け出すことを防止する。
【００４１】
図５および図６に示すように、ねじ嵌合部材３は、天井２１等の設備を吊り下げる吊りボルト２０の上端を取り付け手段を介して取り付ける機能を有している。この例では、前記取り付け手段は、吊りボルト２０の上端がねじ込まれる雌ねじ部１０により構成されるが、吊りボルト２０の取り付け角度が自在に可変可能なユニバーサルジョイント等であっても良い。
【００４２】
次に、この発明のハンガー金具のデッキプレートへの取り付け方法について説明する。
【００４３】
先ず、横架部材１をデッキプレート１１のウェブ１２間に押し込んで、横架部材１の両端部をデッキプレート１１の下部凹部１４に嵌め込み、横架部材１をデッキプレート１１に係止させる。
【００４４】
次いで、横架部材１を保持しながら棒状当接部材２を横架部材１の下方から挿通孔４に通して押し上げる。挿通の際、留め具７は、棒状当接部材２内にばねの弾性力に抗して引っ込み、挿通孔４を抜け出た後は、前記ばねの弾性力により棒状当接部材２外に突出する。これと同時に、棒状当接部材２のストッパー８が横架部材１の凹陥部９内に入り込む。これによって、棒状当接部材２は、横架部材１に上下左右に移動不可に取り付けられ、横架部材１から抜け出ることはない。
【００４５】
この際、棒状当接部材２の弾性体６は、押し上げ圧力により変形した状態でデッキプレート１１のフランジ１７の下面に当接するので、横架部材１は、弾性体６の反発力によってデッキプレート１１の下部凹部１４に係止される。
【００４６】
次いで、ねじ嵌合部材３を横架部材１にねじ込めば、この発明のハンガー金具をデッキプレート１１に取り付けることができる。
【００４７】
この後、ねじ嵌合部材３に吊りボルト２０をねじ込めば、デッキプレート１１上にコンクリートを打設することによって構築された合成スラブの下方部の空間に天井等の設備を設置することができる。
【００４８】
デッキプレートが勾配をもって敷き込まれている場合には、ねじ嵌合部材３の雌ねじ部３を予めその勾配に合わせて傾斜させて雌ねじ加工をさせておいたものを用意すれば、吊りボルトをくの字に折り曲げなくても、容易に吊りボルト２０を鉛直下向きに設置することができるので、所望の吊り下げ強度が得られる。図８（Ａ）から（Ｄ）に傾斜角度を５°から２０°まで変化させたものの嵌合部材を示した。
【００４９】
なお、水平面内の回転角度は、棒状当接部材２が横架部材１の凹陥部９内で回動されるので自由に設定できる。
【００５０】
また、デッキプレートの勾配に対しては、次の別の手段により対応させても良い。すなわち、図９（Ａ）、（Ｂ）に示すように、ねじ嵌合部材３に螺合する自在係合具（アタッチメント）２２により吊りボルト２０を取り付けても良い。
【００５１】
自在係合具２２は、基体２２ａと、基体２２ａ上に取り付けられた、ねじ嵌合部材３の雌ねじ部１０に螺合する雄ねじ部２２ｂと、基体２２ａ内に、ピン２２ｃにより取り付けられた取り付け部材２２ｄとからなっている。取り付け部材２２ｄに吊りボルト２０を螺合させることにより、吊りボルト２０は、ピン結合により自由自在にデッキプレートの傾斜に対応して追従可能となる。
【００５２】
さらに、別の手段として、図示しないが、ねじ嵌合部材３の雌ねじ部１０を上記のようなピン結合する雌ねじ部に直接、置き換えても良い。
【００５３】
なお、ねじ嵌合部材３を接着剤を介して横架部材１にねじ込めば、さらに強固にねじ嵌合部材３を横架部材１に固定することができる。
【００５４】
また、横架部材１にゴム板等の弾性材料を貼り付けてもデッキプレートと横架部材１との摩擦抵抗の増大を図ることができる。
【００５５】
また、棒状当接部材２に取り付ける弾性体６は、ゴム以外にばねや樹脂製であっても良い。
【００５６】
また、ねじ嵌合部材３と吊りボルト２０と予め接合しておいて、横架部材１にねじ込んでも良い。
【００５７】
また、ねじ嵌合部材３を交換することによって、許容吊り下げ荷重の増加やデッキプレートの勾配に容易に対応することが可能である。
【００５８】
以上、説明したように、この発明によれば、デッキプレート１１に容易かつ強固に取り付けることができる。また、改修等で吊り位置が不必要となった場合でも、ハンガー金具単独で現状位置に残すことができるので、ハンガー金具を撤去する必要がない。また、デッキプレート１１が勾配をもって敷き込まれている場合であっても、図１０に示すように吊りボルト２０を鉛直下向きに設置することができるので、すなわち、吊りボルト２０と天井２１とのなす角度（θ）を直角に維持することができるので、従来の曲げ角度を有する吊りボルトへの、地震時等における揺れ等による曲げ力集中を回避でき、所望の吊り下げ強度が得られる。さらに、ねじ嵌合部材３を交換することによって、許容吊り下げ荷重の増加やデッキプレート１１の勾配に容易に対応することが可能である。
【符号の説明】
【００５９】
１：横架部材
２：棒状当接部材
３：ねじ嵌合部材
４：挿入孔
５：雌ねじ部
６：弾性体
７：留め具
８：ストッパー
９：凹陥部
１０：雌ねじ部
１１：デッキプレート
１２：ウェブ
１３：上部凹部
１４：下部凹部
１５：ハンガー金具
１６：横架部材
１７：フランジ
１８：横架部材
１９：ハンガー金具
２０：吊りボルト
２１：天井
２２：自在係合具（アタッチメント）
２２ａ：基体
２２ｂ：雄ねじ
２２ｃ：ピン
２２ｄ：取り付け部材
【図１】
2015183387.tif 000003
【図２】
2015183387.tif 000004
【図３】
2015183387.tif 000005
【図４】
2015183387.tif 000006
【図５】
2015183387.tif 000007
【図６】
2015183387.tif 000008
【図７】
2015183387.tif 000009
【図８】
2015183387.tif 000010
【図９】
2015183387.tif 000011
【図１０】
2015183387.tif 000012
【図１１】
2015183387.tif 000013
【図１２】
2015183387.tif 000014
【図１３】
2015183387.tif 000015
【図１４】
2015183387.tif 000016